(57)【要約】【課題】聴衆が表示を希望するコンテンツの表示を素早く行うことが可能なプロジェクタ、プログラム、情報記憶媒体及び表示システムを提供すること。【解決手段】ネットワークを介して情報処理装置と接続されたプロジェクタ１０であって、画像として表示される複数のコンテンツのそれぞれに対応するサムネイル画像を生成するサムネイル画像生成部３２と、生成されたサムネイル画像と、当該サムネイル画像が対応付けられたコンテンツのコンテンツ識別情報とを関連付けて前記情報処理装置に配信する配信部３４と、前記情報処理装置から、コンテンツ識別情報が対応付けられた表示要求を受け付け、受け付けた表示要求に基づいて、表示するコンテンツを決定する表示要求処理部３６とを含むことを特徴とする。【選択図】図２
2009130485.tif 000002
【特許請求の範囲】
【請求項１】
ネットワークを介して情報処理装置と接続されたプロジェクタであって、
画像として表示される複数のコンテンツのそれぞれに対応するサムネイル画像を生成するサムネイル画像生成部と、
生成されたサムネイル画像と、当該サムネイル画像が対応付けられたコンテンツのコンテンツ識別情報とを関連付けて前記情報処理装置に配信する配信部と、
前記情報処理装置から、コンテンツ識別情報が対応付けられた表示要求を受け付け、受け付けた表示要求に基づいて、表示するコンテンツを決定する表示要求処理部とを含むことを特徴とするプロジェクタ。
【請求項２】
請求項１において、
前記表示要求処理部は、
コンテンツの表示要求を許可するユーザを決定するための情報に基づき表示要求を許可するユーザを決定し、決定したユーザの情報処理装置から受け付けた前記表示要求に基づいて、表示するコンテンツを決定することを特徴とするプロジェクタ。
【請求項３】
請求項１又は２において、
前記表示要求処理部は、
前記情報処理装置から、前記表示要求に関連付けられたテキストを受け付け、受け付けたテキストを、表示するコンテンツと関連して表示する制御を行うことを特徴とするプロジェクタ。
【請求項４】
請求項１乃至３のいずれかにおいて、
前記表示要求処理部は、
前記情報処理装置から受け付けた前記表示要求を集計し、集計結果を記憶部に記憶させることを特徴とするプロジェクタ。
【請求項５】
請求項１乃至４のいずれかにおいて、
前記表示要求処理部は、
前記情報処理装置から受け付けた前記表示要求を集計し、集計結果を表示する制御を行うことを特徴とするプロジェクタ。
【請求項６】
請求項１乃至５のいずれかにおいて、
前記表示要求処理部は、
前記情報処理装置から受け付けた前記表示要求を集計し、集計結果に基づき表示するコンテンツを決定することを特徴とするプロジェクタ。
【請求項７】
ネットワークを介して情報処理装置と接続されたプロジェクタを制御するためのプログラムであって、
画像として表示される複数のコンテンツのそれぞれに対応するサムネイル画像を生成するサムネイル画像生成部と、
生成したサムネイル画像と、当該サムネイル画像が対応付けられたコンテンツのコンテンツ識別情報とを関連付けて前記情報処理装置に配信する配信部と、
前記情報処理装置から、コンテンツ識別情報が対応付けられた表示要求を受け付け、受け付けた表示要求に基づいて、表示するコンテンツを決定する表示要求処理部としてコンピュータを機能させることを特徴とするプログラム。
【請求項８】
請求項７に記載のプログラムを記憶した、コンピュータ読み取り可能な情報記憶媒体。
【請求項９】
ネットワークを介して接続されたプロジェクタと情報処理装置とを含む表示システムであって、
前記プロジェクタは、
画像として表示される複数のコンテンツのそれぞれに対応するサムネイル画像を生成するサムネイル画像生成部と、
生成したサムネイル画像と、当該サムネイル画像が対応付けられたコンテンツのコンテンツ識別情報とを関連付けて前記情報処理装置に配信する配信部と、
前記情報処理装置から、コンテンツ識別情報が対応付けられた表示要求を受け付け、受け付けた表示要求に基づいて、表示するコンテンツを決定する表示要求処理部とを含み、
前記情報処理装置は、
前記プロジェクタから配信されたサムネイル画像を表示する表示部と、
表示を要求するコンテンツを指定する操作入力に基づき、指定されたコンテンツのコンテンツ識別情報が対応付けられた表示要求を前記プロジェクタに送信する表示要求部とを含むことを特徴とする表示システム。
【発明の詳細な説明】
【技術分野】
【０００１】
本発明は、プロジェクタ、プログラム、情報記憶媒体及び表示システムに関する。
【背景技術】
【０００２】
従来から、プレゼンテーション資料や画像データが格納されたメモリカードを挿入して、スクリーンに投射することが可能なプロジェクタが知られている（例えば、特許文献１参照）。このようなプロジェクタでは、リモコンやプロジェクタが備えるボタン等を操作して資料の特定のページをスクリーンに表示することができる。すなわちＰＣを用いずにプロジェクタのみでプレゼンテーションを行うことが可能である。
【０００３】
プレゼンテーションにおいては、プレゼンテーション中や終了後に、聴衆がプレゼンテーションの内容に関して質問や確認を行うことが一般的である。聴衆が質問や確認を行う場合には、質問等に関連するページ（スライド）をスクリーンに表示しながら行うことが効果的である。そのため、聴衆は表示を希望するページの特徴をプレゼンテータに伝え、プレゼンテータは聴衆の希望するページを探して選択することでスクリーンに表示していた。
【特許文献１】特開２０００−２６７１８７号公報
【発明の開示】
【発明が解決しようとする課題】
【０００４】
しかしながら、従来のプロジェクタを用いたプレゼンテーションでは、聴衆は記憶を頼りに、表示を希望するページの特徴をプレゼンテータに伝えなければならず、表示を希望するページを正しく指定できないことがあった。そのためプレゼンテータが表示すべきページを探すのに時間を要し、プレゼンテーションが円滑に進行しないといった問題点があった。
【０００５】
本発明は、以上のような課題に鑑みてなされたものであり、その目的とするところは、聴衆が表示を希望するコンテンツの表示を素早く行うことが可能なプロジェクタ、プログラム、情報記憶媒体及び表示システムを提供することにある。
【課題を解決するための手段】
【０００６】
（１）本発明は、ネットワークを介して情報処理装置と接続されたプロジェクタであって、画像として表示される複数のコンテンツのそれぞれに対応するサムネイル画像を生成するサムネイル画像生成部と、生成されたサムネイル画像と、当該サムネイル画像が対応付けられたコンテンツのコンテンツ識別情報とを関連付けて前記情報処理装置に配信する配信部と、前記情報処理装置から、コンテンツ識別情報が対応付けられた表示要求を受け付け、受け付けた表示要求に基づいて、表示するコンテンツを決定する表示要求処理部とを含むことを特徴とする。
【０００７】
また本発明は、上記各部としてコンピュータを機能させるためのプログラムに関係する。また本発明は、コンピュータ読み取り可能な情報記憶媒体であって、上記各部としてコンピュータを機能させるためのプログラムを記憶した情報記憶媒体に関係する。
【０００８】
また本発明は、ネットワークを介して接続されたプロジェクタと情報処理装置とを含む表示システムであって、前記プロジェクタは、画像として表示される複数のコンテンツのそれぞれに対応するサムネイル画像を生成するサムネイル画像生成部と、生成したサムネイル画像と、当該サムネイル画像が対応付けられたコンテンツのコンテンツ識別情報とを関連付けて前記情報処理装置に配信する配信部と、前記情報処理装置から、コンテンツ識別情報が対応付けられた表示要求を受け付け、受け付けた表示要求に基づいて、表示するコンテンツを決定する表示要求処理部とを含み、前記情報処理装置は、前記プロジェクタから配信されたサムネイル画像を表示する表示部と、表示を要求するコンテンツを指定する操作入力に基づき、指定されたコンテンツのコンテンツ識別情報が対応付けられた表示要求を前記プロジェクタに送信する表示要求部とを含むことを特徴とする。
【０００９】
本発明において、複数のコンテンツとは、複数の画像データでもよいし、画像やテキスト、動画等を含む１ページ分のスライドが複数枚格納された１の電子データでもよい。
【００１０】
本発明によれば、複数のコンテンツのそれぞれに対応するサムネイル画像を情報処理装置に配信することにより、聴衆であるユーザが情報処理装置の表示部を見て複数のコンテンツの一覧を参照することができ、表示を希望するコンテンツを容易に指定することができる。
【００１１】
また本発明によれば、コンテンツ識別情報が対応付けられた表示要求を情報処理装置から受け付け、受け付けた表示要求に基づき表示するコンテンツを決定することにより、ユーザが表示を希望するコンテンツをスクリーンに表示（投射）することができる。
【００１２】
（２）本発明に係るプロジェクタは、前記表示要求処理部は、コンテンツの表示要求を許可するユーザを決定するための情報に基づき表示要求を許可するユーザを決定し、決定したユーザの情報処理装置から受け付けた前記表示要求に基づいて、表示するコンテンツを決定することを特徴とする。
【００１３】
本発明において、表示要求を許可するユーザを決定するための情報とは、表示要求を許可するユーザのユーザ識別情報を含む情報でもよいし、表示要求を許可しないユーザのユーザ識別情報を含む情報でもよいし、各ユーザのユーザ識別情報と、当該ユーザ識別情報に対応付けられた許可又は不許可を示す情報とを含む情報でもよい。
【００１４】
本発明によれば、複数のユーザがいる場合に、プロジェクタに対するアクセス制御をユーザ毎に行うことができる。
【００１５】
（３）本発明に係るプロジェクタは、前記表示要求処理部は、前記情報処理装置から、前記表示要求に関連付けられたテキストを受け付け、受け付けたテキストを、表示するコンテンツと関連して表示する制御を行うことを特徴とする。
【００１６】
本発明によれば、ユーザが表示を希望するコンテンツとともにそのコンテンツに関連したテキストを表示することができる。従ってユーザ（聴衆）が、プレゼンテーションにおいてコンテンツに関する質問や確認をより効果的に行うことができる。
【００１７】
（４）本発明に係るプロジェクタは、前記表示要求処理部は、前記情報処理装置から受け付けた前記表示要求を集計し、集計結果を記憶部に記憶させることを特徴とする。
【００１８】
本発明において、集計結果とは、例えばコンテンツ毎の表示要求が行われた数に関するデータをいう。
【００１９】
本発明によれば、コンテンツの表示要求に関する集計結果を取得することができる。
【００２０】
（５）本発明に係るプロジェクタは、前記表示要求処理部は、前記情報処理装置から受け付けた前記表示要求を集計し、集計結果を表示する制御を行うことを特徴とする。
【００２１】
本発明において、集計結果を表示するとは、集計結果に基づき集計結果を表すテキストデータ又はグラフ等の画像データを生成し、生成した画像データを表示するようにしてもよい。
【００２２】
本発明によれば、コンテンツの表示要求に関する集計結果をユーザに見せることができる。
【００２３】
（６）本発明に係るプロジェクタは、前記表示要求処理部は、前記情報処理装置から受け付けた前記表示要求を集計し、集計結果に基づき表示するコンテンツを決定することを特徴とする。
【００２４】
本発明において、集計結果に基づいて表示するコンテンツを決定するとは、最も表示要求が多い（又は少ない）コンテンツを表示コンテンツとして決定するようにしてもよいし、表示するコンテンツの順番を表示要求の数に応じて決定するようにしてもよい。
【発明を実施するための最良の形態】
【００２５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００２６】
１．構成
図１は、本実施形態における表示システムの構成の一例である。
【００２７】
本実施形態の表示システムは、プロジェクタ１０と、複数の情報処理装置２０とを含み、プロジェクタ１０と複数の情報処理装置２０は、有線または無線のＬＡＮ回線等のネットワーク２２を介して接続されている。情報処理装置２０は、ＰＣでもよいし、ｗｅｂブラウザ（ＨＴＴＰクライアント）を実行可能な携帯情報端末又は携帯電話でもよい。ネットワーク２２は、インターネットや専用回線、移動体通信網でもよい。
【００２８】
図２は、本実施形態におけるプロジェクタの機能ブロック図の一例である。なお、本実施形態のプロジェクタは、図２の構成要素（各部）の一部を省略した構成としてもよい。
【００２９】
本実施の形態のプロジェクタ１０は、操作部７０を含む。操作部７０は、ユーザ（プレゼンテータ）が操作データや操作指示を入力するためのものであり、その機能は、プロジェクタ本体に備わるボタンや、プロジェクタのリモコンに備わるボタン等により実現できる。操作部７０は、表示するコンテンツを指定する操作データや、表示要求を許可するユーザを指定する操作データ等を入力する操作データ入力手段として機能するようにしてもよい。
【００３０】
本実施の形態のプロジェクタ１０は、制御部３０のワーク領域となる記憶部５０と、携帯型情報記憶装置５２とを含む。携帯型情報記憶装置５２は、複数の画像データや、画像やテキストを含むスライドが複数枚格納された電子データ等の、複数のコンテンツが記憶されるものであり、この携帯型情報記憶装置５２としては、メモリカードなどを考えることができる。
【００３１】
本実施形態のプロジェクタ１０は、通信部８０を含む。通信部８０は、情報処理装置２０との間で通信を行うための各種の制御を行うものであり、その機能は、各種プロセッサ又は通信用ＡＳＩＣなどのハードウェアや、プログラムなどにより実現できる。
【００３２】
本実施の形態のプロジェクタ１０は制御部３０を含む。制御部３０は、プロジェクタ１０の各種処理を行うもので、ＣＰＵやＤＳＰ等のハードウェアとプロジェクタの各種処理を実行するためのプログラム等によって実現してもよい。
【００３３】
制御部３０は、サムネイル画像生成部３２と、配信部３４と、表示要求処理部３６と、変換部３８と、表示部４４に表示する画像を制御する表示制御部３９とを含む。
【００３４】
サムネイル画像生成部３２は、携帯型情報記憶装置５２に記憶された複数のコンテンツのそれぞれに対応するサムネイル画像を生成する。サムネイル画像生成部３２は、コンテンツが、画像やテキストを含むスライドが複数枚格納された電子データの中の１枚のスライドである場合には、当該スライドに含まれる画像やテキストを所定サイズの画像データに変換することにより当該コンテンツに対応するサムネイル画像を生成する。またコンテンツが画像データである場合には、当該画像データを所定サイズに縮小することにより当該コンテンツに対応するサムネイル画像を生成する。
【００３５】
配信部３４は、Ｗｅｂサーバ（ＨＴＴＰサーバ）として機能し、情報処理装置２０（情報処理装置２０において実行されるＷｅｂブラウザ）からの配信要求に応じて、サムネイル画像生成部３２によって生成された複数のサムネイル画像と、当該サムネイル画像が対応付けられたコンテンツのコンテンツ識別情報とを関連づけて情報処理装置２０に配信する。すなわち配信部３４は、複数のサムネイル画像を含むＷｅｂページを構成するＨＴＭＬファイルであって、コンテンツ識別情報が対応付けられた表示要求をＷｅｂブラウザからＷｅｂサーバに返すための制御情報を含むＨＴＭＬファイルを作成して情報処理装置２０に配信する。
【００３６】
また配信部３４は、情報処理装置２０からの配信要求に応じて、ユーザ識別情報を入力してユーザ登録を行うためのＷｅｂページを構成するＨＴＭＬファイルを情報処理装置２０に配信するようにしてもよい。
【００３７】
また配信部３４は、情報処理装置２０からの１又は複数のコンテンツ識別情報が対応付けられた配信要求に応じて、要求されたコンテンツのコンテンツ画像（例えば変換部３８によって変換された画像データ）を含むＷｅｂページを構成するＨＴＭＬファイルを情報処理装置２０に配信するようにしてもよい。
【００３８】
表示要求処理部３６は、情報処理装置２０から、コンテンツ識別情報が対応付けられた表示要求を配信部３４を介して受け付け、受け付けた表示要求に基づいて、携帯型情報記憶装置５２に記憶された複数のコンテンツのうち、スクリーン面９０に表示する１のコンテンツを決定する。
【００３９】
また表示要求処理部３６は、操作部７０からの表示するコンテンツを指定する操作データに基づいて、表示するコンテンツを決定する。
【００４０】
また表示要求処理部３６は、記憶部５０に記憶された、コンテンツの表示要求を許可するユーザを決定するための情報（ユーザ登録情報）に基づき表示要求を許可するユーザを決定し、決定したユーザの情報処理装置２０から受け付けた前記表示要求に基づいて、表示するコンテンツを決定するようにしてもよい。また表示要求処理部３６は、情報処理装置２０から、ユーザ識別情報が対応付けられたユーザ登録要求を配信部３４を介して受け付け、受け付けたユーザ識別情報をユーザ登録情報に登録するようにしてもよい。そして表示要求処理部３６は、操作部７０からの表示要求を許可するユーザを指定する操作データに基づき、指定されたユーザを表示要求を許可するユーザとしてユーザ登録情報に登録するようにしてもよい。
【００４１】
また表示要求処理部３６は、情報処理装置２０から、前記表示要求に関連付けられたテキストを受け付け、受け付けたテキストを、表示するコンテンツと関連して表示する制御を行うようにしてもよい。
【００４２】
また表示要求処理部３６は、情報処理装置２０から受け付けた前記表示要求を集計し、集計結果を記憶部５０に記憶させるようにしてもよい。また表示要求処理部３６は、前記集計結果を表示する制御を行うようにしてもよい。また表示要求処理部３６は、前記集計結果に基づいて、表示するコンテンツを決定するようにしてもよい。
【００４３】
変換部３８は、表示要求処理部３６によって決定されたコンテンツを画像データ（ビットマップデータ）に変換する。変換部３９は、決定されたコンテンツが、画像やテキストを含むスライドが複数枚格納された電子データの中の１枚のスライドである場合には、当該スライドに含まれる画像やテキストを１の画像データ（コンテンツ画像）に変換する。また決定されたコンテンツが画像データである場合には、変換部３８による変換を行わないようにしてもよい。
【００４４】
本実施の形態のプロジェクタ１０は、投射光学系４０を含む。投射光学系４０は、ランプユニット等の光源４２、表示部４４と、投射レンズ４６とを備えており、プロジェクタ１０の外部のスクリーン面９０等に画像の投射表示を行うものであり、表示部４４に表示されている画像をスクリーン９０に投射する投射部として機能する。
【００４５】
表示部４４は、液晶パネルやライトバルブ、ＤＭＤ等で実現され、変換部３８によって変換された画像データや、表示要求処理部３６によって決定された画像データを表示するように構成されている。
【００４６】
光源４２は、表示部４４に光を照射するものであって、バラスト部６４で生成された光源駆動電力により点灯動作を行う。表示部４４は、マトリクス状に形成された図示しない複数の画素を備えており、光源４２から射出した光を、表示制御部３９から入力される画像信号３７に基づいて画素毎に変調することによって画像信号に応じた光学像を形成する。
【００４７】
表示部４４によって形成された光学像は、投射レンズ４６によってスクリーン面９０等に拡大投射される。
【００４８】
本実施の形態のプロジェクタ１０は、電源部６０を含む。電源部６０は、ＡＣ１００Ｖ等の商用電源を入力してプロジェクタ１０の各種動作に必要な直流の電源電圧を生成する主電源部６２と、投射光学系４０の光源を駆動するバラスト部６４とを含む。主電源部６２は、商用電源を全波整流によって直流に変換する整流回路と、高調波電流を抑制するとともに力率を改善する力率改善（ＰＦＣ：Power Factor Correction）回路と、力率改善回路の出力をトランス（変圧器）により所定の電圧に変換するＤＣ−ＤＣ変換回路等とを有しており、商用電源から、制御部３０を動作させる動作電力等も生成するようにしてもよい。
【００４９】
バラスト部６４は、トランスの１次側（商用電源側）に備えられた力率改善回路に接続されており、力率改善回路からの出力電圧を降圧させる降圧チョッパと、降圧チョッパによって降圧された直流電流を交流矩形波電流（光源駆動電力）に変換するインバータと、光源ランプの電極間の絶縁破壊を行って、光源ランプの始動を促すためのイグナイタ等とを備えている。
【００５０】
２．本実施形態の手法
次に本実施形態の手法について図面を用いて説明する。
【００５１】
図３は、本実施形態の情報処理装置の表示部に表示されるユーザ登録画面について説明するための図である。
【００５２】
本実施形態では、ユーザは情報処理装置２０で実行されるＷｅｂブラウザを使用して、プロジェクタ１０に対してユーザ登録を行う。図３に示すように、ユーザがＷｅｂブラウザＷＢのＵＲＬ入力フォームＵＦにユーザ登録画面のＵＲＬを入力すると、ＷｅｂブラウザＷＢにユーザ登録画面ＲＳが表示される。ユーザは、ユーザ登録画面ＲＳに表示されたユーザ識別情報入力フォームＩＦにユーザ識別情報（ユーザＩＤ）を入力して、登録ボタンＲＢを操作（クリック）することによりユーザ登録を行う。このとき入力されたユーザ識別情報は、登録要求に対応付けられて、プロジェクタ１０に対して送信される。
【００５３】
図４は、本実施形態のプロジェクタの記憶部に記憶されるユーザ登録情報について説明するための図である。
【００５４】
本実施形態のプロジェクタ１０の表示要求処理３６は、情報処理装置２０からユーザ識別情報が対応付けられた登録要求を受け付けると、当該ユーザ識別情報と、登録要求を送信した情報処理装置２０のＩＰアドレスとを図４に示すユーザ登録情報１００に登録する。ユーザ識別情報１００は、登録したユーザ毎に、ユーザ識別情報１１０と、情報処理装置２０のＩＰアドレス１２０と、表示要求を許可するか否かに関する許可情報１３０とを格納する。許可情報１３０の「Ｙ」は表示要求を許可することを示し、「Ｎ」は表示要求を許可しないことを示している。
【００５５】
図５は、本実施形態のプロジェクタが投射するユーザ一覧画像について説明するための図である。
【００５６】
本実施形態のプロジェクタ１０は、ユーザ一覧を表示させる操作が行われた場合に、図５に示すように、ユーザ一覧画像ＵＯをコンテンツ画像ＣＳに重畳してスクリーンＳＣに投写する。ユーザ一覧画像ＵＯには、図４に示すユーザ登録情報１００に登録された各ユーザのユーザ識別情報が表示されている。プレゼンテータは、操作部７０を操作して、この中からコンテンツの表示要求を許可するユーザのユーザ識別情報を指定することができる。図５の例では、ユーザ識別情報が「Ｓｕｚｕｋｉ」であるユーザが仮選択されていることを示している。
【００５７】
本実施形態の表示要求処理部３６は、操作部７０から表示要求を許可するユーザを指定する操作データを受け付けると、ユーザ登録情報１００の中の当該指定されたユーザのユーザ識別情報１１０に対応する許可情報１３０を「Ｙ」に変更し、他のユーザのユーザ識別情報１１０に対応する許可情報１３０を「Ｎ」に変更する処理を行う。
【００５８】
図６は、本実施形態の情報処理装置の表示部に表示されるコンテンツ一覧画面について説明するための図である。
【００５９】
本実施形態では、ユーザは情報処理装置２０で実行されるＷｅｂブラウザを使用して、コンテンツの一覧を参照し、表示を希望するコンテンツを指定する。図６に示すように、ユーザがＷｅｂブラウザＷＢのＵＲＬ入力フォームＵＦにコンテンツ一覧画面のＵＲＬを入力すると、ＷｅｂブラウザＷＢにコンテンツ一覧画面ＬＳが表示される。また、図３に示すユーザ登録画面ＲＳにおいて、登録ボタンＲＢが操作された場合に、自動的にコンテンツ一覧画面ＬＳを表示させるようにしてもよい。
【００６０】
コンテンツ一覧画面ＬＳには、プロジェクタ１０に記憶された複数のコンテンツのそれぞれに対応するサムネイル画像ＳＭ１〜ＳＭ８が表示されている。また、サムネイル画像ＳＭ１〜ＳＭ８のそれぞれに対応して、コメント入力フォームＣＦ１〜ＣＦ８と、表示ボタンＤＢ１〜ＤＢ８と、マークボタンＭＢ１〜ＭＢ８が表示されている。また、コンテンツ一覧画面ＬＳの上部には、マーク表示ボタンＯＢと、全表示ボタンＡＢが表示されている。
【００６１】
ユーザは、コメント入力フォームＣＦ１〜ＣＦ８のそれぞれに、コンテンツに関するコメントや疑問点、質問内容等のテキストを入力することができる。ユーザは、表示ボタンＤＢ１〜ＤＢ８の中から、スクリーン面９０への表示を希望するコンテンツに対応する表示ボタンを操作（クリック）することにより、スクリーン面９０への表示を希望するコンテンツを指定することができる。このとき、操作された表示ボタンに対応するコンテンツのコンテンツ識別情報と、当該コンテンツに対応するコメント入力フォームに入力されたテキストデータとが表示要求に対応付けられてプロジェクタ１０に送信される。
【００６２】
またユーザは、マークボタンＭＢ１〜ＭＢ８の中から、ＷｅｂブラウザＷＢ上での表示を希望するコンテンツに対応するマークボタンを操作（クリック）してマークを有効にする（マークボタンＭＢ１、ＭＢ６の状態）ことにより、ＷｅｂブラウザＷＢ上での表示を希望するコンテンツを指定することができる。さらにマーク表示ボタンＯＢを操作することにより、マークが有効なマークボタンに対応するコンテンツのコンテンツ画像をＷｅｂブラウザＷＢに表示させることができる。このとき、マークが有効なマークボタンに対応するコンテンツのコンテンツ識別情報が配信要求に対応付けられてプロジェクタ１０に送信され、当該配信要求に対応してプロジェクタ１０から、配信を要求したコンテンツのコンテンツ画像（例えば変換部３８によって変換された画像データ）が送信されＷｅｂブラウザＷＢに表示される。
【００６３】
またユーザは、全表示ボタンＡＢを操作することにより、全てのコンテンツのコンテンツ画像をＷｅｂブラウザに表示させることもできる。
【００６４】
図７は、本実施形態のプロジェクタが投射するコンテンツ画像とコメント画像について説明するための図である。
【００６５】
本実施形態のプロジェクタ１０は、情報処理装置２０から、コンテンツ識別情報とテキストデータとが対応付けられた表示要求を受け付けると、図４に示すユーザ登録情報１００を参照して、当該表示要求を送信した情報処理装置２０のＩＰアドレス１２０に対応する許可情報１３０に基づき、当該表示要求を許可するか否かを判断し、許可すると判断した場合には、図７に示すように、当該表示要求に対応付けられたコンテンツ識別情報に対応するコンテンツのコンテンツ画像ＣＳをスクリーンＳＣに投射するとともに、当該表示要求に対応付けられたテキストデータをコメント画像ＣＯとしてコンテンツ画像ＣＳに重畳してスクリーンＳＣに投射する。図７では、図６に示すＷｅｂブラウザにＷＢにおいて表示ボタンＤＢ３が操作された場合に、スクリーンＳＣに投射されるコンテンツ画像ＣＳとコメント画像ＣＯの例を示している。この場合、図６に示すコメント入力フォームＣＦ３に入力されたテキストデータがコメント画像ＣＯとして投射される。
【００６６】
本実施形態によれば、プレゼンテータに表示要求を許可されたユーザは、表示を希望するコンテンツと自身が入力したテキストとをスクリーンＳＣに投射させることができ、コンテンツ（プレゼンテーション資料）に関する質問や確認をより効果的に行うことができる。
【００６７】
図８は、本実施形態のプロジェクタが投射する集計画像について説明するための図である。
【００６８】
本実施形態のプロジェクタ１０は、情報処理装置２０から、コンテンツ識別情報が対応付けられた表示要求を受け付けた場合に、受け付けた表示要求を集計し、図８に示すように、集計結果を集計結果画像ＳＯとしてコンテンツ画像ＣＳに重畳してスクリーンＳＣに投影することができる。集計結果画像ＳＯには、各コンテンツのコンテンツ識別情報とコンテンツ毎の表示要求の数（表示要求を行ったユーザの数）が、表示要求の数が多いコンテンツ順に表示されている。図８の例では表示要求の数が多い上位４のデータのみが表示されており、例えばコンテンツ識別情報が「００７」であるコンテンツの表示要求の数が「２５」であることを示している。
【００６９】
３．本実施形態の処理
次に、本実施形態のプロジェクタの処理の一例について図９のフローチャートを用いて説明する。
【００７０】
サムネイル画像生成部３２は、携帯型情報記憶装置５２に記憶された複数のコンテンツのそれぞれに対応するサムネイル画像を生成する（ステップＳ１０）。
【００７１】
次に、配信部３４は、情報処理装置２０から、コンテンツ一覧画面ＬＳの配信を要求する配信要求を受け付けたか否かを判断して（ステップＳ１２）、受け付けたと判断した場合には、生成されたサムネイル画像と、当該サムネイル画像が対応付けられたコンテンツのコンテンツ識別情報とを関連付けて、配信要求を送信した情報処理装置２０に配信する（ステップＳ１４）。
【００７２】
次に、表示要求処理部３６は、操作部７０から表示要求を許可するユーザを指定する操作データを受け付けたか否かを判断して（ステップＳ１６）、受け付けたと判断した場合には、受け付けた操作データに基づいて、記憶部５０に記憶されたユーザ登録情報１００の中の、指定されたユーザに対応する許可情報１３０を「Ｙ」に変更する（ステップＳ１８）。
【００７３】
次に、表示要求処理部３６は、情報処理装置２０から、コンテンツ識別情報が対応付けられた表示要求を配信部３４を介して受け付けたか否かを判断し（ステップＳ２０）、受け付けたと判断した場合には、受け付けた表示要求を許可するか否かを判断する（ステップＳ２２）。具体的には、記憶部５０に記憶されたユーザ登録情報１００を参照して、受け付けた表示要求を送信した情報処理装置２０のＩＰアドレス１２０に対応する許可情報１３０に基づき判断する。
【００７４】
ステップＳ２２において、表示要求を許可すると判断した場合には、受け付けた表示要求に対応付けられたコンテンツ識別情報に基づいて、スクリーン面９０に投射表示するコンテンツを決定する（ステップＳ２４）。
【００７５】
次に、変換部３８は、決定されたコンテンツを画像データに変換し（ステップＳ２６）、投射光学系４０（投射部）は、変換された画像データ（コンテンツ画像）を投射する（ステップＳ２８）。
【００７６】
次に、処理を続けるか否かを判断し（ステップＳ３０）、続けるのであればステップＳ１２の処理に戻り、ステップＳ１２以下の処理を繰り返す。
【００７７】
４．変形例
なお、本発明の適用は上述した実施例に限定されず、種々の変形が可能である。
【００７８】
例えば、上述した実施例では、集計結果画像ＳＯとして、集計結果をテキストで表す場合について説明したが、集計結果をグラフ等で表すようにしてもよい。また上述した実施例では、表示要求を集計した集計結果をスクリーン９０に表示する場合について説明したが、集計結果に基づきスクリーン９０に表示するコンテンツを決定するようにしてもよい。例えば、最も表示要求の数が多いコンテンツのコンテンツ画像をスクリーンＳＣに投射するようにしてもよいし、表示要求の数が多い順に複数のコンテンツ画像を順次スクリーンＳＣに投射するようにしてもよい。
【００７９】
また上述した実施例では、情報処理装置２０において、汎用性の高いＷｅｂブラウザを用いてコンテンツ一覧画面ＬＳを表示させる場合について説明したが、専用のクライアントソフトを用いてコンテンツ一覧画面ＬＳを表示させるようにしてもよい。
【図面の簡単な説明】
【００８０】
【図１】本実施形態の表示システムの構成の一例を示す図。
【図２】本実施形態のプロジェクタの機能ブロック図。
【図３】本実施形態の手法の説明図。
【図４】本実施形態の手法の説明図。
【図５】本実施形態の手法の説明図。
【図６】本実施形態の手法の説明図。
【図７】本実施形態の手法の説明図。
【図８】本実施形態の手法の説明図。
【図９】本実施形態の処理例を示すフローチャート。
【符号の説明】
【００８１】
１０  プロジェクタ、２０  情報処理装置、３０  制御部、３２  サムネイル画像生成部、３４  配信部、３６  表示要求処理部、３８  変換部、３９  表示制御部、４０  投射光学系、５０  記憶部、５２  携帯型情報記憶装置、６０  電源部、７０  操作部、８０  通信部
【図１】
2009130485.tif 000003
【図２】
2009130485.tif 000004
【図３】
2009130485.tif 000005
【図４】
2009130485.tif 000006
【図５】
2009130485.tif 000007
【図９】
2009130485.tif 000008
【図６】
2009130485.tif 000009
【図７】
2009130485.tif 000010
【図８】
2009130485.tif 000011